(57)【要約】      （修正有）【課題】耐火性に優れて火災時にも燃えにくく、製作容易な防火黒板を提供する。【解決手段】金属パイプからなる複数本の縦桟１１及び横桟１２をビス止めにて組み付けた格子状の基枠１の前面側に、金属製の下地平板２がビス止めされ、下地平板２上にホウロウ板又はスチール板からなる黒板表面材３が張設されてなる。下地平板と黒板表面材との間にマグネットシート４が介在していてもよい。【選択図】図２
0003195983.tif 000002
【実用新案登録請求の範囲】
【請求項１】
金属パイプからなる複数本の縦桟及び横桟をビス止めにて組み付けた格子状の基枠の前面側に、金属製の下地平板がビス止めされ、この下地平板上にホウロウ鋼板又はスチール板からなる黒板表面材が張設されてなる防火黒板。
【請求項２】
前記下地平板と黒板表面材との間にマグネットシートが介在してなる請求項１に記載の防火黒板。
【請求項３】
前記縦桟及び横桟が角パイプからなり、該縦桟と横桟とが両者の側面に接当するＬ字形の取付金具を介してビス止めされてなる請求項１又は２に記載の防火黒板。
【請求項４】
前記縦桟及び横桟が中空アルミ型材、前記下地平板がアルミ板からなる請求項１〜３のいずれかに記載の防火黒板。
【考案の詳細な説明】
【技術分野】
【０００１】
本考案は、耐火性能を備えた防火黒板に関する。なお、ここでいう黒板とは、表面が緑色や黒色でチョークにて筆記する所謂黒板と、表面が白色でボードマーカーにて筆記するホワイトボードとを含めた総称とする。
【背景技術】
【０００２】
従来より、黒板として、杉集成材等よりなる裏桟材を格子状に組み付けた木製の基枠の前面側に、ベニヤ板の如き下地用合板を接着すると共に、該下地用合板上に接着剤によってホウロウ鋼板又はスチール板からなる黒板表面材を貼着した構造のものや、前記下地合板の表面にマグネットシートを接着し、このマグネットシート上に前記黒板表面材を磁力吸着によって張設することで、該黒板表面材を取換え可能としたものが汎用されている（特許文献１）。
【先行技術文献】
【特許文献】
【０００３】
【特許文献１】特開平１１−５９０６８号公報
【考案の概要】
【考案が解決しようとする課題】
【０００４】
しかるに、前記従来汎用の黒板は基枠及び下地用合板が可燃性であって火災時に燃え易いことから、近年において耐火性の高い黒板が要望されている。
【０００５】
本考案は、上述の事情に鑑みて、耐火性に優れて火災時にも燃えにくく、製作容易な防火黒板を提供することを目的としている。
【課題を解決するための手段】
【０００６】
上記目的を達成するための手段を図面の参照符号を付して示せば、請求項１の考案に係る防火黒板は、金属パイプからなる複数本の縦桟１１及び横桟１２をビス止めにて組み付けた格子状の基枠１の前面側に、金属製の下地平板２がビス止めされ、この下地平板２上にホウロウ板又はスチール板からなる黒板表面材３が張設されてなる構成としている。
【０００７】
請求項２の考案は、上記請求項１の防火黒板において、下地平板２と黒板表面材３との間にマグネットシート４が介在してなるものとしている。
【０００８】
請求項３の考案は、上記請求項１又は２の防火黒板において、縦桟１１及び横桟１２が角パイプからなり、該縦桟１１と横桟１２とが両者の側面に接当するＬ字形の取付金具１３を介してビス止めされてなるものとしている。
【０００９】
請求項４の考案は、上記請求項１〜３のいずれかの防火黒板において、縦桟１１及び横桟１２が中空アルミ型材、下地平板２がアルミ板からなるものとしている。
【考案の効果】
【００１０】
次に、本考案の効果について、図面を参照して具体的に説明する。請求項１の考案に係る防火黒板では、基枠１、下地平板２、黒板表面材３がいずれも金属材料からなるため、優れた耐火性能を備えて火災時に燃えにくく、加えて基枠１を構成する縦桟１１及び横桟１２が金属パイプであることで強度的に優れると共に、その取り扱い性がよい。また、基枠１の縦桟１１と横桟１２の組み付け、ならびに該基枠１への下地平板２の取付けをビス止めによって行うから、黒板全体の組立製作が容易である。
【００１１】
請求項２の考案によれば、下地平板２と黒板表面材３との間にマグネットシート４が介在するから、黒板表面材３を該マグネットシート４の磁気吸着力を利用して張設でき、それだけ黒板の組立製作が容易になると共に、黒板表面材３が損傷した際に取り換え可能となる。
【００１２】
請求項３の考案によれば、角パイプからなる縦桟１１と横桟１２をＬ字形の取付金具１３を介してビス止めするから、基枠１の組立てがより容易になると共に、該基枠１の格子状形態としての強度も向上する。
【００１３】
請求項４の考案によれば、縦桟１１及び横桟１２が中空アルミ型材、下地平板２がアルミ板からなるため、黒板全体が高強度になる。
【図面の簡単な説明】
【００１４】
【図１】本考案の実施形態に係る防火黒板の斜視図である。
【図２】同防火黒板における黒板本体の積層構成を示す展開斜視図である。
【図３】同防火黒板の基枠を構成する縦桟と横桟の連結状態を示し、（ａ）は黒板左右中間部における連結部の平面図、（ｂ）は黒板角部の平面図である。
【図４】表面材固定式の同防火黒板における要部の横断面図である。
【図５】表面材交換式の同防火黒板における要部の横断面図である。
【考案を実施するための形態】
【００１５】
以下に、本考案に係る防火黒板の実施形態について、図面を参照して具体的に説明する。なお、この防火黒板には表面材固定式と表面材交換式とがある。
【００１６】
この防火黒板は、図１に示すように、横長矩形の黒板本体１０に、四周縁枠として、いずれもアルミ型材からなる上縁材７、左右の側縁材８、下縁材を兼用する粉受け枠９がそれぞれ嵌着されてなる。
【００１７】
その黒板本体１０は、図２に示すように、格子状の基枠１の前面側（図示では上面側）に、アルミ板からなる下地平板２をビス５によって張設し、この下地平板２上に黒板表面材３を積層した構造になっている。その基枠１は、いずれも同一の中空アルミ型材の角パイプからなる、左右複数本（図２では７本）の縦桟１１と上下２本の横桟１２とを、相互に突き合わせた各コーナー部において、図３（ａ），（ｂ）で示すように、Ｌ字形の取付金具１３を両者の側面に接当させ、ビス５によって止着することにより、格子状に結合している。
【００１８】
そして、表面材固定式の防火黒板の場合、図４に示すように、黒板表面材３は、下地平板２上に塗着したゴム糊等の接着剤層６を介して、剥離不能に固着されている。一方、表面材交換式の防火黒板の場合、図５に示すように、下地平板２上に予め接着剤層６を介してマグネットシート４を接着しておき、その上に黒板表面材３を該マグネットシート４の磁気吸着力によって剥離可能に止着している。この表面材交換式では、黒板表面材３を磁気吸着力のみで張設できるから、それだけ黒板の組立製作が容易になり、また黒板表面材３が損傷した際に簡単に新品と取り換えることができる。
【００１９】
使用する黒板表面材３は、通常の黒板やホワイトボードの表面材と同様であり、鋼板の表面に釉薬を塗布し、焼付けて仕上げたホウロウ板、もしくは錆止め処理を施した鋼板の表面に黒板用塗料を塗装し、焼付けて仕上げたスチール板からなる。なお、下地平板２及びマグネットシート４は、図２では一枚物として示しているが、それぞれ複数枚より構成してもよい。
【００２０】
下地平板２には、図２に示すように、基枠１の各縦桟１１及び各横桟１２に対向する位置にビス孔２１が穿設されている。一方、縦桟１１及び横桟１２は、図３（ａ），（ｂ）に示すように、各側面の幅方向中央に沿って、内向きの補強リブ形成に伴う溝部１１ａ，１２ａを有している。そして、下地平板２のビス孔２１ならびに取付金具１３のビス孔１３ａに通したビス５は、該溝部１１ａ，１２ａの位置に螺挿するようになっている。なお、溝部１１ａ，１２ａのビス螺挿位置には下孔を穿設してもよいが、ビス５としてドリリングタッピングスクリューを用いれば下孔は不要となる。
【００２１】
上記構成の防火黒板では、基枠１、下地平板２、黒板表面材３がいずれも金属材料からなるため、優れた耐火性能を発揮し、火災時にも燃えにくく、加えて基枠１を構成する縦桟１１及び横桟１２が金属パイプであることから、強度的に優れると共に、その取り扱い性もよい。
【００２２】
また、基枠１の縦桟１１と横桟１２の組み付け、ならびに該基枠１への下地平板２の取付けは、ビス止めによって行えるから、黒板全体の組立製作が容易になる。特に、実施形態の如く、角パイプからなる縦桟１１と横桟１２をＬ字形の取付金具１３を介してビス止めする構成では、基枠１の組立てがより容易になると共に、該基枠１の格子状形態としての強度も向上する。更に、縦桟１１及び横桟１２を中空アルミ型材、下地平板２をアルミ板とすることで、黒板全体がより高強度になる。
【００２３】
本考案の防火黒板においては、基枠１としては図２で例示した以外の種々の格子状形態を採用でき、その格子状形態及び黒板の縦横寸法に応じて縦桟１１及び横桟１２の本数及び配置間隔を適宜設定すればよい。また、該基枠１の後面側に、アルミ板等の金属製裏板や壁面取付用の適当な板片、壁面取付用金具等をビス止めしてもよい。更に、縦桟１１及び横桟１２の断面形状は例示以外に種々設定できると共に、上縁材７、左右の側縁材８、粉受け枠９の形態についても特に制約はない。
【符号の説明】
【００２４】
１      基枠
１０    黒板本体
１１    縦桟
１２    横桟
１３    取付金具
２      下地平板
３      黒板表面材
４      マグネットシート
５      ビス
【図１】
0003195983.tif 000003
【図２】
0003195983.tif 000004
【図３】
0003195983.tif 000005
【図４】
0003195983.tif 000006
【図５】
0003195983.tif 000007